(57)【特許請求の範囲】
【請求項１】
前面扉と、それぞれ同種類の商品を収納するとともに補充順に商品を払い出す商品払出機能を有する複数の商品収納部と、商品収納部の商品補充口を含む開口部を開閉する内扉とを備えた自動販売機であって、内扉もしくは内扉および前面扉の開閉を検知する扉開閉検知手段と、各商品収納部毎の少なくとも商品の販売数と販売時刻とを記憶する記憶手段と、［商品収納部の満杯補充数／商品の品質保証期間］と巡回員の巡回間隔日数との積を巡回間隔期間に販売できる販売期待本数として算出するとともに、扉開閉検知手段からの信号を入力して内扉または前面扉を開けた際に、内扉を前回閉じてから今回内扉または前面扉を開けた際までの各商品収納部毎の商品販売数と巡回間隔期間を算出する演算手段と、前回巡回時から今回巡回時までの販売本数実績と販売期待本数とを比較し、販売本数実績が販売期待本数よりも大きいか等しい場合に販売好調と判定し、販売本数実績が販売期待本数よりも小さい場合に販売不調と判定する比較判定手段と、この比較判定手段に判定を指示する判定指示手段と、判定指示手段により指示された際に比較判定手段の判定結果に基づいたデータに応じて販売不調の商品収納部と販売好調の商品収納部とを区別して表示する表示手段を設けた自動販売機の商品補充確認装置。
【請求項２】
今回巡回時までに商品の売切れが発生した場合には前回巡回時から売切れ発生時までを巡回間隔期間として設定する請求項１記載の自動販売機の商品補充確認装置。
【請求項３】
判定指示手段は、前面扉の開閉を検知する前面扉開閉検知手段であり、前面扉が開けられた際に、販売状態を判定して表示手段にて表示させる請求項１または２に記載の自動販売機の商品補充確認装置。
【請求項４】
表示手段は、各商品選択ボタンに対応して設けられた販売可能ランプおよび売切れランプである請求項１〜３の何れかに記載の自動販売機の商品補充確認装置。
【請求項５】
商品収納部の商品の残数を認識する残数認識手段を設け、残数が所定の数以下の場合は表示手段により販売状態の表示とともに売切れ間近表示をする請求項１〜４の何れかに記載の自動販売機の商品補充確認装置。
【請求項６】
前回巡回時から今回巡回時までの巡回間隔期間が所定日数よりも小さい場合には、新たな販売状態判断は行わずに、巡回間隔期間が所定日数以上であった最新の判定情報を表示させる請求項１〜５の何れかに記載の自動販売機の商品補充確認装置。
【請求項７】
請求項５に記載の自動販売機の商品補充確認装置に商品を補充する商品補充方法であって、販売好調と表示されている商品収納部には商品を満杯になるまで補充し、販売不調と表示されかつ売切れ間近と表示されていない商品収納部には商品を補充せず、販売不調と表示されかつ売切れ間近と表示されている商品収納部には所定数の商品を補充する商品補充方法。
【請求項８】
残数認識手段は、内扉および前面扉が閉じられた際に、販売好調の商品収納部については商品の残数を満杯数に設定し直し、販売不調でかつ売切れ間近でない商品収納部には残数をそのまま維持し、販売不調でかつ売切れ間近である商品収納部については商品の残数を所定数増加させて設定し直し、その後の商品販売の度に商品の残数から１つずつ減じることにより商品の残数を認識する請求項１〜６の何れかに記載の自動販売機の商品補充確認装置。
【請求項９】
満杯数が設定された後、満杯時から売切れ発生時までの販売数が設定満杯数よりも多い場合にはその販売数を満杯数に設定し直し、満杯時から売切れ発生時までの販売数が設定満杯数よりも連続して少ない場合にはその販売数を満杯数に設定し直す請求項１〜６または８の何れかに記載の自動販売機の商品補充確認装置。
【発明の詳細な説明】
【０００１】
【発明の属する技術分野】
本発明は、自動販売機の商品補充確認装置に関するものである。
【０００２】
【従来の技術】
自動販売機においては、缶飲料商品などを加温してホット商品として販売したり、冷却してコールド商品として販売したりしている。その飲料中に乳原料などを含む場合には、長期間にわたってホット商品として加温した状態を維持するとその風味が損なわれることがあるため、風味が損なわれないような保証期間（例えば自動販売機に補充してから３０日）中に商品を販売したり、保証期間を過ぎた商品を巡回員が交換したりすることが望ましい。
【０００３】
巡回員にて各自動販売機に収納されている商品が保証期間を過ぎていないかどうかを認識しようとすると、商品補充の際にその補充日時（または保証期限）および補充数を記録し、なおかつ頻繁にその商品の販売数を確認して、各保証期限に対する在庫数を確認することが考えられる。しかし、その記録および確認作業を行うには多大な手間や時間がかかり、さらに必ずしも頻繁に確認処理を行えるとは限らないため、確実に確認することは現実的には困難である。
【０００４】
これに対処するものとして、特開平８−３１５２２７号公報に、巡回員がその商品の保証期間を入力して自動販売機に記憶させておくとともに、巡回の都度、商品収納コラム毎にその商品の補充数を入力することでこれらのデータを自動販売機に記憶させ、一方で、自動販売機において記憶している各商品収納コラム毎の販売数および販売時から最近の所定期間内（例えば最近の一週間）の平均販売数を算出して滞留期間を予測し、上記保証期間の終了前に設定された判定日が到来すると、上記保証期間と補充日時と在庫数と平均販売数とから品質保証期限切れを判定して、商品収納コラム毎に設けた警告表示器に品質保証期限切れ警告を発したり、販売を停止したり、商品補充の際に適正補充数を表示したりすることが開示されている。
【０００５】
この構成によれば、品質保証期限切れとなった、もしくは品質保証期限切れとなりそうな商品収納コラムを認識できるので、品質保証期限切れの商品を販売することを最小限に抑えることができる。また、商品補充の際に適正補充数を表示することで、商品を補充する際などに予め品質保証期限切れとなりそうな商品の投入自体を巡回員などが認識することができるので、品質保証期限切れになる可能性の高い商品を補充することも防止することができて、付加価値が下がる商品の発生自体をも未然に防止することができる。
【０００６】
【発明が解決しようとする課題】
しかしながら、上記特開平８−３１５２２７号公報の構成によれば、巡回員が巡回して商品を補充する都度、商品収納コラム毎にその商品補充数を入力しなければならないため、巡回の度に多くの手間や時間がかかって巡回員に大きな負担をかけることになり、また手間や時間がかかるので巡回員がこの入力操作を行わなくなって、結果的に有効に活用されないおそれもある。
【０００７】
また、一時的に多く売れた場合などに、平均販売数が大きく影響されてしまい、滞留期間の予測が大きく狂うおそれがあり、この場合には品質保証期限切れの判定が不確実となってしまう。
【０００８】
さらに、専用の警告表示器を商品収納コラム毎に設ける必要があるため、製造コストの大幅な増加も招いてしまう。
本発明は上記課題を解決するもので、巡回員などに大きな負担をかけたり、製造コストの大幅な増加を招くことなく、品質保証期限切れの商品を発生することを最小限に抑えることができる自動販売機の商品補充確認装置を提供することを目的とするものである。
【０００９】
【課題を解決するための手段】
上記課題を解決するために請求項１記載の本発明は、前面扉と、それぞれ同種類の商品を収納するとともに補充順に商品を払い出す商品払出機能を有する複数の商品収納部と、商品収納部の商品補充口を含む開口部を開閉する内扉とを備えた自動販売機であって、内扉もしくは内扉および前面扉の開閉を検知する扉開閉検知手段と、各商品収納部毎の少なくとも商品の販売数と販売時刻とを記憶する記憶手段と、［商品収納部の満杯補充数／商品の品質保証期間］と巡回員の巡回間隔日数との積を巡回間隔期間に販売できる販売期待本数として算出するとともに、扉開閉検知手段からの信号を入力して内扉または前面扉を開けた際に、内扉を前回閉じてから今回内扉または前面扉を開けた際までの各商品収納部毎の商品販売数と巡回間隔期間を算出する演算手段と、前回巡回時から今回巡回時までの販売本数実績と販売期待本数とを比較し、販売本数実績が販売期待本数よりも大きいか等しい場合に販売好調と判定し、販売本数実績が販売期待本数よりも小さい場合に販売不調と判定する比較判定手段と、この比較判定手段に判定を指示する判定指示手段と、判定指示手段により指示された際に比較判定手段の判定結果に基づいたデータに応じて販売不調の商品収納部と販売好調の商品収納部とを区別して表示する表示手段を設けたものである。
【００１０】
この構成により、複数の商品収納部に対して商品補充を行う際などに、判定指示手段により比較判定動作を行うように指示するだけで、販売不調の商品収納部と販売好調の商品収納部とが区別して表示される。したがって、この表示を見ながら、販売好調の商品収納部にだけ商品を補充して、販売不調の商品収納部には商品を補充しないことで、品質保証期限切れとなる可能性の高い商品の残数が増えないため、品質保証期限切れの商品が発生する可能性を減少させることができる。
【００１１】
請求項２記載の本発明は、請求項１記載の自動販売機の商品補充確認装置において、今回巡回時までに商品の売り切れが発生した場合には前回巡回時から売切れ発生時までを巡回間隔期間として設定するものである。
【００１２】
この構成により、巡回間隔期間に対する販売本数実績を正確に把握することができる。
請求項３記載の本発明は、請求項１または２に記載の自動販売機の商品補充確認装置において、判定指示手段は、前面扉の開閉を検知する前面扉開閉検知手段であり、前面扉が開けられた際に、販売状態を判定して表示手段にて表示させるものである。
【００１３】
この構成により、巡回時などに前面扉を開けるだけで、販売状態が表示されるので、手間や時間がかからない。
請求項４記載の本発明は、請求項１〜３の何れかに記載の自動販売機の商品補充確認装置において、表示手段は、各商品選択ボタンに対応して設けられた販売可能ランプおよび売切れランプであるものである。
【００１４】
この構成により、特別な表示手段を別途に設けなくても販売状態を各商品収納部毎に表示させることができる。
請求項５記載の本発明は、請求項１〜４の何れかに記載の自動販売機の商品補充確認装置において、商品収納部の商品の残数を認識する残数認識手段を設け、残数が所定の数以下の場合は表示手段により販売状態の表示とともに売切れ間近表示をするものである。
【００１５】
この構成により、販売状態の表示の表示とともに売切れ間近表示も行われるため、販売が不調であっても、品切れとならないように商品を少ない数だけ補充することで、品質保証期限切れの商品が発生する可能性を減少させることができながら、商品切れを防止することもできる。
【００１６】
請求項６記載の本発明は、請求項１〜５の何れかに記載の自動販売機の商品補充確認装置において、前回巡回時から今回巡回時までの巡回間隔期間が所定日数よりも小さい場合には、新たな販売状態判断は行わずに、巡回間隔期間が所定日数以上であった最新の判定情報を表示させるものである。
【００１７】
この構成により、巡回の頻度が多くて巡回間隔期間が短い場合には、巡回間隔期間が所定日数以上であった最新の判定情報が表示されるため、一時的に多く売れることがあっても、平均販売数が大きく影響されて販売状態の判断が不確実となることが防止される。
【００１８】
請求項７記載の本発明は、請求項５に記載の自動販売機の商品補充確認装置に商品を補充する商品補充方法であって、販売好調と表示されている商品収納部には商品を満杯になるまで補充し、販売不調と表示されかつ売切れ間近と表示されていない商品収納部には商品を補充せず、販売不調と表示されかつ売切れ間近と表示されている商品収納部には所定数の商品を補充するものである。
【００１９】
この方法により、品質保証期限切れとなる可能性の高い商品の残数が増えないため、品質保証期限切れの商品が発生する可能性を減少させることができる。
請求項８記載の本発明は、請求項１〜６の何れかに記載の自動販売機の商品補充確認装置において、残数認識手段は、内扉および前面扉が閉じられた際に、販売好調の商品収納部については商品の残数を満杯数に設定し直し、販売不調でかつ売切れ間近でない商品収納部には残数をそのまま維持し、販売不調でかつ売切れ間近である商品収納部については商品の残数を所定数増加させて設定し直し、その後の商品販売の度に商品の残数から１つずつ減じることにより商品の残数を認識するものである。
【００２０】
この構成により、商品の残数をほぼ実際の残数に合うように自動販売機に自動的に認識させることが可能となる。
請求項９記載の本発明は、請求項１〜６または８の何れかに記載の自動販売機の商品補充確認装置において、満杯数が設定された後、満杯時から売切れ発生時までの販売数が設定満杯数よりも多い場合にはその販売数を満杯数に設定し直し、満杯時から売切れ発生時までの販売数が設定満杯数よりも連続して少ない場合にはその販売数を満杯数に設定し直すものである。
【００２１】
この構成により、商品収納部に供給する商品の種類が変わった場合でも商品の満杯数が自動的に変更される。
【００２２】
【発明の実施の形態】
以下、本発明の実施の形態について、図面に基き説明する。
図２〜図４に示すように、この自動販売機には、一般の自動販売機と同様に、前面扉１と、それぞれ同種類の商品を収納するとともに補充順に商品を払い出す商品払出機能を有する複数の商品収納部２と、商品収納部２の商品補充口２ａを含む開口部３を開閉する内扉４と、前面扉１の裏面に配設られ表示部５ａおよび複数の入力キー５ｂを有する表示入力部５と、前面扉１の前面に複数設けられて各商品収納部２に対応して関係づけられている商品選択ボタン６とが備えられ、各商品選択ボタン６には、図１に示すように、投入金額以下の販売可能な商品を示すための販売可能ランプ６ａと売切れ状態を示すための売切れランプ６ｂとがそれぞれ設けられている。
【００２３】
また、この自動販売機には、図１に示すように、前面扉１の開閉を検知して判定指示手段として機能する前面扉開閉検知センサ１１と、内扉４の開閉を検知する内扉開閉検知センサ１２と、種々のデータなどを記憶する記憶部１３および計時するタイマ１４が接続された制御部１５とが備えられ、さらに制御部１５には演算手段１６および比較判定手段１７が設けられている。
【００２４】
制御部１５は図５、図６に示すような制御処理を行う。
まず、予め、各商品収納部２毎の満杯補充数（例えば３０本）を表示入力部５から入力して記憶部１３に記憶させておくとともに、商品の品質保証期間（例えば３０日間）を表示入力部５から入力して記憶部１３に記憶させておく。また、後述する売切れ間近と判定する場合の売切れ間近判定本数（例えば５本）と販売不調で売切れ間近の場合の設定補充本数（例えば６本）を表示入力部５から入力して記憶部１３に記憶させておくとともに、後述する販売状態を判定させる際の巡回間隔日数の最低規定日数（例えば８日）も表示入力部５から入力して記憶部１３に記憶させておく。なお、これらのデータは予め初期値を自動販売機出荷時までに記憶させておき、初期値と異なる場合のみ入力できる構成としてもよい。
【００２５】
初めに、各商品収納部２にそれぞれ商品を例えば満杯となるように補充した後、内扉４および前面扉１を閉めると、内扉開閉検知センサ１２および前面扉開閉検知センサ１１によりこれらの閉動作が検知され、内扉４が閉じられた時刻が商品が補充された時刻（年月日および時間など）であるとして記憶される（ステップ＃１、＃２）。
【００２６】
その後、ステップ＃３に進み、商品が販売される度にステップ＃４で該当商品の販売本数を１つずつ増やして販売本数をカウントするとともにその商品の残数を１つ減少させて残数を認識させる。そして、この後に巡回員などにより前面扉１が開けられてこの開動作が前面扉開閉検知センサ１１にて検知されると、ステップ＃５からステップ＃６以降に進み、演算手段１６による演算処理と比較判定手段１７による比較判定処理とが加温状態の各商品収納部２それぞれについて指示される。
【００２７】
演算手段１６においては、ステップ＃６で、前面扉１が開けられた時刻と内扉４が閉じられた時刻との差から巡回間隔日数を算出する（例えば巡回間隔日数の小数点以下分を切り捨てて算出する）とともに、巡回間隔日数が最低規定日数（例えば８日）以上である場合にはステップ＃７からステップ＃８に進んで、［商品収納部２の満杯補充数／商品の品質保証期間］と巡回員の巡回間隔日数との積を巡回間隔期間に販売できる販売期待本数として算出する。なお、今回巡回日までに売切れが発生した場合には売切れ発生までの日数を巡回間隔日数とみなす。例えば満杯補充数が３０で、商品の品質保証期間が３０日、巡回員の巡回間隔日数が１０日であった場合には（３０／３０）×１０＝１０と演算して販売期待本数が１０本であると設定する。ここで、販売期待本数とは、商品を満杯にした場合に、これらの数の商品がちょうど商品の品質保証期間で販売される場合での割合でその巡回間隔において販売されると期待される本数である。すなわち、販売期待本数に等しい割合で常に販売されると、品質保証期間が終了する際に、満杯にした商品がちょうど販売されることとなる。
【００２８】
ステップ＃９では、前回巡回時（前回内扉４が閉じられた時刻）から今回巡回時（今回前面扉１が開けられた時刻）までの実際に販売された該当商品の販売実績本数と、上記算出された販売期待本数とが比較され、販売実績本数が販売期待本数よりも大きいか等しい場合（上記例においては販売実績本数が１０本以上であった場合）にはステップ＃１０に進んで販売好調と判定し、また、販売実績本数が販売期待本数よりも小さい場合（上記例においては販売実績本数が９本以下であった場合）にはステップ＃１１に進んで販売不調と判定する。販売好調と判定した商品収納部２については、この商品収納部２に対応する商品選択ボタン６の売切れランプ６ｂを消灯させ、販売不調と判定した商品収納部２については、この商品収納部２に対応する商品選択ボタン６の売切れランプ６ｂを点滅させる。ここで、販売状態が判定された場合には、この情報を記憶部１３に記憶させておく。
【００２９】
なお、ステップ＃７において、巡回間隔日数が最低規定日数（例えば８日）よりも小さい場合には、ステップ＃１２に進んで、前回の販売状態が判断された結果を採用して商品選択ボタン６の売切れランプ６ｂを消灯または点滅表示させる。また、自動販売機を設置してあまり期間が経っておらず、前回の販売状態判断情報がまだない場合に備えて、販売状態判断に対する予め初期値を記憶させておき、この場合に上記初期値を用いて売切れランプ６ｂを消灯または点滅表示させてもよい。
【００３０】
次に、ステップ＃１３で、上記販売状態を判定した商品収納部２における現在の残数が売切れ判定本数（例えば５本）以下であるかどうかを判定し、残数が売切れ間近判定本数（例えば５本）以下である場合には、ステップ＃１４に進んで売切れ間近と判定し、また、残数が売切れ判定本数よりも多い場合には、ステップ＃１５に進んで売切れ間近でないと判定する。売切れ間近と判定した商品収納部２については、この商品収納部２に対応する商品選択ボタン６の販売可能ランプ６ａを点滅させ、売切れ間近でないと判定した商品収納部２については、この商品収納部２に対応する商品選択ボタン６の販売可能ランプ６ａを消灯させる。
【００３１】
この後、巡回員は商品選択ボタン６の販売可能ランプ６ａおよび売切れランプ６ｂを見て、商品の補充が必要であるかどうかを判断し、補充が必要である場合には内扉４を開けて商品を補充する。商品の補充は以下のようにして行う。
【００３２】
売切れランプ６ｂが消灯されている商品選択ボタン６に対応する商品収納部２については販売が好調であるため、販売可能ランプ６ａの表示状態に関係なく、満杯状態となるまで商品を補充する。一方、売切れランプ６ｂが点滅されている商品選択ボタン６に対応する商品収納部２については販売が不調であるため、販売可能ランプ６ａの表示状態を確認する。販売可能ランプ６ａが点滅されている商品選択ボタン６に対応する商品収納部２については、売切れが間近であるため、予め決められた設定補充本数（例えば６本）だけ商品を補充し、販売可能ランプ６ａが消灯されている商品選択ボタン６に対応する商品収納部２については、売切れが間近でないため、商品は補充しない。この場合に、販売不調であるが売切れ間近であると判定された商品収納部２については、商品を設定補充本数だけ投入した際に巡回員がこの動作を行ったことを確認するために商品選択ボタン６を押すと、販売可能ランプ６ａを点滅状態から消灯状態に変更させ、商品を設定補充本数だけ投入したことを認識できるようになっている。すなわち、誤って商品を再度補充することを防止できるようになっている。
【００３３】
商品の補充が終わって前面扉１が閉じられると、ステップ＃１６からステップ＃１７に進んで、残数がプリセットされる。ここで、販売好調と判定された商品収納部２については残数が満杯数にプリセットされ、販売不調であるが売切れ間近であると判定された商品収納部２については残数に設定補充本数を加算した本数を新たな残数としてプリセットされ、販売不調であり売切れ間近でないと判定された商品収納部２については残数をそのまま維持する。なお、このプリセット動作を、前面扉１が閉じられてから所定時間（例えば３０分）後に行うようにして、前記所定時間内に再度前面扉１が開けられた際にはこのプリセット動作をキャンセルするように構成して、頻繁にプリセット動作が行われることを防止してもよい。
【００３４】
また、自動販売機においては商品収納部２に対する商品の種類を変更した際に、直径などの形状が異なると、満杯数も変わることとなるが、本発明においては、初めに満杯数が所定の初期値に設定された後に、満杯時から売切れ発生時までの販売数が設定満杯数よりも多い場合にはその販売数を満杯数に設定し、満杯時から売切れ発生時までの販売数が設定満杯数よりも連続して少ない場合にはその販売数を満杯数に設定するようになっている。
【００３５】
上記の構成によれば、巡回員が商品補充を行う際などに前面扉１を開けるだけで、加温状態の各商品収納部２に対して、販売好調、販売不調、売切れ間近の判断が行われて、各商品収納部２に対応する商品選択ボタン６の販売可能ランプ６ａおよび売切れランプ６ｂにその状態が手間をかけることなく表示される。したがって、巡回員はこの表示を見ることで、販売好調、販売不調、売切れ間近の商品収納部２を容易に確認できる。
【００３６】
また、販売好調と表示されている商品収納部２には商品を満杯になるまで補充し、販売不調と表示されかつ売切れ間近と表示されていない商品収納部２には商品を補充せず、販売不調と表示されかつ売切れ間近と表示されている商品収納部２には所定数の商品を補充するという規則をつくり、制御部１５により、その規則に沿って、自動的に商品の残数を認識させるように構成したため、商品の残数をほぼ実際の残数に合うように自動的に認識させることが可能となり、商品の補充数を毎回入力するような負担を巡回員に強いることもない。
【００３７】
そして、販売好調の商品収納部２にだけ商品を補充して、販売不調で売切れ間近でない商品収納部２には商品を補充しないことで、品質保証期限切れとなる可能性の高い商品の残数を最小限に抑えることができるため、品質保証期限切れの商品が発生する可能性を減少させることができる。さらに、販売が不調であっても、売切れ間近な商品については所定数の商品を補充するため、商品切れの発生も予防することもできる。
【００３８】
また、今回巡回時までに商品の売り切れが発生した場合には前回巡回時から売切れ発生時までを巡回間隔期間として設定することで、巡回間隔期間に対する販売本数実績を正確に把握することができる。また、販売好調、販売不調、売切れ間近の商品収納部２を認識させるための表示手段として、商品選択ボタン６の販売可能ランプ６ａおよび売切れランプ６ｂを用いて、特別な表示手段や警報手段を別途に設けなくても済むため、製造コストを安価に済ますことができる。
【００３９】
また、巡回の頻度が多くて巡回間隔期間が短い場合には、巡回間隔期間が所定日数以上であった最新の判定情報が表示されるため、一時的に多く売れることがあっても、平均販売数が大きく影響されて販売状態の判断が不確実となるようなことがなく、販売状態判断を正確に行うことができる。
【００４０】
さらに、満杯数が初めは所定の初期値に設定された後、満杯時から売切れ発生時までの販売数が設定満杯数よりも多い場合にはその販売数を満杯数に設定し直し、満杯時から売切れ発生時までの販売数が設定満杯数よりも連続して少ない場合にはその販売数を満杯数に設定することにより、商品収納部２に供給する商品の種類が変わった場合でも商品の満杯数が自動的かつ正確に補正され、巡回員によりが満杯数を手動で変更しなくても済んで巡回員の負担を増やすことがない。
【００４１】
また、商品を補充する際に、満杯にしたことは商品投入口の商品を確認することで容易に視認できる一方、販売不調かつ売切れ間近である場合に商品を設定補充本数だけ投入した際に、商品が満杯ではなくて見えない状態であるため、そのままでは、商品を誤って再度投入してしまうおそれがある。しかし、上記実施の形態によれば、商品選択ボタン６を押すと、販売可能ランプ６ａを点滅状態から消灯状態に変更させ、商品を設定補充本数だけ投入したことを確認できるようになっているため、誤って再度投入してしまうことを防止することができる。
【００４２】
なお、上記実施の形態においては、前面扉１を開けた際に販売状態の判定を行うようにしたので、内扉４を開けた際に販売状態の判定を行うように設定した場合と比べると、内扉４を開ける前に判定結果から補充に必要な商品を予め準備できて便利となるとともに商品収納部２の適温空気が外部に逃げることを最小限に抑えることが可能となり、さらに、判定結果から商品の補充を行わなくても済む場合は手数が掛からない利点がある。しかし、内扉４を開けた際に販売状態の判定を行うように設定してもよく、この場合には前面扉開閉検知センサ１１を設けなくても済む。また、他のスイッチ手段により販売状態の判定を指示するようにしてもよく、前面扉１の裏面の表示入力部５による所定操作により販売状態の判定を指示するようにしてもよい。
【００４３】
また、上記実施の形態においては、販売状態の判定結果を各商品選択ボタン６の売切れランプ６ｂで表示し、売切れ間近状態を各商品選択ボタン６の販売可能ランプ６ａで表示させる場合を述べたが、これに限るものではなく、それぞれ逆のランプで示したり、表示方法を変えても（例えば点灯と点滅など）よく、さらに商品収納部２の近傍に表示手段などを個別に設けたり、前面扉１の裏面の表示入力部５に表示させてもよい。
【００４４】
また、上記実施の形態においては、加温状態の各商品収納部２に対してのみ販売状態や売切れ間近の判断を行うようにした場合を述べたが、全商品収納部２に対して判定を行わせて、巡回員がホット商品に係る各商品収納部２に対してのみ参照するようにしてもよい。また、ホット商品だけに限定されるものではなく、コールド商品に対しても別途に品質保証期間を設けて判定することも可能であり、また、特定の種類の商品だけに個別に品質保証期間を設けて判定することも可能である。
【００４５】
また、上記実施の形態においては、前面扉１と内扉４とがそれぞれ個別に設けられている場合を述べたが、これに限るものではなく、例えば商品の補充用投入口に対応する箇所で前面扉１の上部と内扉４の上部とが一体形成されているような自動販売機に対しても適用可能であることは申すまでもない。
【００４６】
【発明の効果】
以上のように本発明によれば、各商品収納部毎の商品の販売数と販売時刻などを記憶手段に記憶させ、判定指示手段により指示した際に演算手段にて、商品収納部の満杯補充数と商品の品質保証期間と巡回員の巡回間隔日数とから販売期待本数を算出させるとともに内扉を前回閉じてから今回内扉または前面扉を開けた際までの各商品収納部毎の商品販売数と巡回間隔期間を算出させ、比較判定手段にて、販売本数実績が販売期待本数よりも大きいか等しい場合に販売好調と判定し、販売本数実績が販売期待本数よりも小さい場合に販売不調と判定し、このデータに応じて販売不調の商品収納部と販売好調の商品収納部とを区別して表示手段で表示させることで、品質保証期限切れとなる可能性の高い商品の残数を抑えることが可能となり、品質保証期限切れの商品が発生する可能性を減少させることができる。
【００４７】
また、今回巡回時までに商品の売切れが発生した場合には前回巡回時から売切れ発生時までを巡回間隔期間として設定することにより、巡回間隔期間に対する販売本数実績を正確に把握することができる。
【００４８】
また、判定指示手段として前面扉の開閉を検知する前面扉開閉検知手段を用いて、前面扉が開けられた際に、販売状態を判定して表示手段にて表示させることにより、巡回時などに前面扉を開けるだけで、販売状態が表示されるので、手間や時間がかからず、さらに作業能率が向上する。
【００４９】
また、表示手段として、各商品選択ボタンに対応して設けられた販売可能ランプと売切れランプを採用することで、特別な表示手段を別途に設けなくても販売状態を各商品収納部毎に表示させることができて、製造コストを低減できる。
【００５０】
また、商品収納部の商品の残数を認識する残数認識手段を設け、残数が所定の数以下の場合は表示手段により販売状態の表示とともに売切れ間近表示をすることにより、品質保証期限切れの商品が発生する可能性を減少させることができながら、商品切れを防止することもできる。
【００５１】
また、前回巡回時から今回巡回時までの巡回間隔期間が所定日数よりも小さい場合には、新たな販売状態判断は行わずに、巡回間隔期間が所定日数以上であった最新の判定情報を表示させることにより、販売状態の判断が不確実となることが防止され、信頼性が向上する。
【００５２】
また、この自動販売機の商品補充確認装置に商品を補充する商品補充方法として、販売好調と表示されている商品収納部には商品を満杯になるまで補充し、販売不調と表示されかつ売切れ間近と表示されていない商品収納部には商品を補充せず、販売不調と表示されかつ売切れ間近と表示されている商品収納部には所定数の商品を補充することにより、品質保証期限切れとなる可能性の高い商品の残数が増えないため、品質保証期限切れの商品が発生する可能性を減少させることができる。
【００５３】
また、残数認識手段は、内扉および前面扉が閉じられた際に、販売好調の商品収納部については商品の残数を満杯数に設定し直し、販売不調でかつ売切れ間近でない商品収納部には残数をそのまま維持し、販売不調でかつ売切れ間近である商品収納部については商品の残数を所定数増加させて設定し直し、その後の商品販売の度に商品の残数から１つずつ減じることにより商品の残数を認識させることにより、商品の残数をほぼ実際の残数に合うように自動的に認識させることが可能となり、一層信頼性が向上する。
【００５４】
また、満杯数が初めは所定の初期値に設定された後、満杯時から売切れ発生時までの販売数が設定満杯数よりも多い場合にはその販売数を満杯数に設定し、満杯時から売切れ発生時までの販売数が設定満杯数よりも連続して少ない場合にはその販売数を満杯数に設定することにより、商品収納部に供給する商品の種類が変わった場合でも商品の満杯数が自動的に変更され、手間や時間が掛からないため、これによっても作業能率が向上する。
【図面の簡単な説明】
【図１】本発明の実施の形態にかかる自動販売機の商品補充確認装置の概略的なブロック図である。
【図２】同自動販売機の前面扉および内扉を開けた際の全体斜視図である。
【図３】同自動販売機の側面断面図である。
【図４】同自動販売機の全体斜視図である。
【図５】同自動販売機の商品補充確認装置の制御動作を示すフローチャートである。
【図６】同自動販売機の商品補充確認装置の制御動作を示すフローチャートである。
【符号の説明】
１        前面扉
２        商品収納部
４        内扉
５        表示入力部
６        商品選択ボタン
６ａ      販売可能ランプ
６ｂ      売切れランプ
１１      前面扉開閉検知センサ
１２      内扉開閉検知センサ
１３      記憶部
１４      タイマ
１５      制御部
１６      演算手段
１７      比較判定手段
【図１】
0003688123.tif 000002
【図２】
0003688123.tif 000003
【図３】
0003688123.tif 000004
【図４】
0003688123.tif 000005
【図５】
0003688123.tif 000006
【図６】
0003688123.tif 000007